(57)【要約】      （修正有）【課題】構造が簡単であって設置作業が容易であり、しかもスピーカーやプレイヤーなどの音響機器の振動を遮断乃至減衰させるインシュレータ本来の機能は勿論のこと、音響機器の振動を特定の部位に伝達するスパイク（メカニカルアース）としての機能をも兼ね備えた新規なインシュレータを提供する。【解決手段】上部７が円錐形状に形成されるインシュレータ本体４と、前記インシュレータ本体に着脱自在に構成され、当該インシュレータ本体を介して音響機器からの振動を特定の部位に直接伝達する際に使用される振動伝達補助部材とを備えるように構成した。【選択図】図１
2011103584.tif 000002
【特許請求の範囲】
【請求項１】
スピーカー等の音響機器と当該音響機器を設置する設置部との間に配置され、前記音響機器からの振動を遮断乃至減衰させるか、又は前記音響機器からの振動を特定の部位に直接伝達させるためのインシュレータにおいて、
上部が円錐形状に形成されるインシュレータ本体と、前記インシュレータ本体に着脱自在に構成され、当該インシュレータ本体を介して前記音響機器からの振動を特定の部位に直接伝達する際に使用される振動伝達補助部材とを備え、
前記インシュレータ本体は、相対的に剛性が大きく且つ内部損失が小さい材料からなり、当該インシュレータ本体の中心部に配置されて先端が音響機器と接触するとともに、インシュレータ本体の底部との間に振動を遮断するための間隙が形成され、しかも前記振動伝達補助部材が着脱自在に装着される振動伝達部材と、
前記振動伝達部材よりも相対的に剛性が小さく且つ内部損失が大きい材料からなり、前記振動伝達部材の外周に一体的に配置されて当該振動伝達部材に伝達された振動を遮断乃至減衰させる振動遮断部材とを具備することを特徴とするインシュレータ。
【請求項２】
前記インシュレータ本体の下面に設置され、当該インシュレータ本体の振動遮断部材と接触する円板状部材と、当該円板の下面に突設されたボルト部材とからなる台座プレート部材を備えたことを特徴とする請求項１に記載のインシュレータ。
【請求項３】
前記インシュレータ本体の下面に設置され、振動を吸収する弾性材料からなる円筒形状の振動吸収部材と、
前記振動吸収部材の下方に設置され、前記振動伝達部材に装着される振動伝達補助部材と接触する台座部材と、
を備えたことを特徴とする請求項１に記載のインシュレータ。
【請求項４】
前記インシュレータ本体と設置部との間に介在され、振動を吸収する弾性材料からなる円筒形状の振動吸収部材と、
先端が設置部の表面に接触するように前記振動伝達部材に装着される振動伝達補助部材と、
を備えたことを特徴とする請求項１に記載のインシュレータ。
【発明の詳細な説明】
【技術分野】
【０００１】
この発明は、オーディオスピーカーやプレイヤー、あるいはアンプなどの音響機器に好適に使用されるインシュレータに関し、特に、スピーカーやプレイヤーなどの音響機器の振動が他の機器に伝わるのを遮断するインシュレータ本来の機能以外に、音響機器の振動を特定の部位に伝達するスパイク（メカニカルアース）としての機能をも兼ね備えた新規なインシュレータに関するものである。
【背景技術】
【０００２】
従来、上記オーディオスピーカーやプレイヤー、あるいはアンプなどの音響機器においては、これらのスピーカーやプレイヤーなどの振動が、床面やテーブル、あるいはスピーカースタンド等を介して周囲に配置された他の音響機器などに伝播し、他の音響機器などに影響を与えたり共振等が発生するのを防止するため、スピーカーなどの音響機器の振動を遮断乃至減衰させるインシュレータと呼ばれる装置が使用されている。
【０００３】
かかるインシュレータに関連する技術としては、例えば、特開平１０−３０４４８４号公報、特開２００５−２４０６７号公報、特開２００６−２７９１７８号公報、特開２００９−１２４３３６号公報等に開示されたものが既に提案されている。
【０００４】
上記特開平１０−３０４４８４号公報に係るインシュレータは、内部に振動源をもつ筺体とその筺体を支持する支持面との間に配置して筺体の振動を吸振するためのインシュレータであって、前記筺体の底部を支承する支承部材と、前記支持面上に置く受け部材と、それら支承部材及び受け部材との間に配置した吸振部材とを含み、当該吸振部材は、それ自体を湾曲させた帯状又は棒状部材から成り、その下端部を受け部材に対して点支持させてあるように構成したものである。
【０００５】
また、上記特開２００４−２２５９２号公報に係る機器筐体の支脚装置は、スパイク体を具備する支脚主体と、前記スパイク体の尖頭の軸心を支承するスタンドベースとからなり、前記スタンドベースを遊嵌状態で支脚主体に一体化したものである。
【０００６】
また、上記特開２００５−２４０６７号公報に係るインシュレータは、支持対象面に接して支持する対象面支持体と、設置面に接した状態で置かれる脚体と、前記脚体の設置面に接する部分の裏側に３つ設けられる、先端により対象を支持する可動部支持部と、前記対象面支持体の支持対象面に接する部分の裏側に設けられる、前記３つの可動部支持部の先端のぞれぞれに接触しつつ前記対象面支持体の前記脚体に対する傾きが変化するように運動することが可能な可動部とを有するように構成したものである。
【０００７】
さらに、上記特開２００６−２７９１７８号公報に係るインシュレーターは、上部インシュレーター（１）と下部インシュレーター（２）とからなり、上部インシュレーター（１）は、下方に向けて円錐状の突起（３）を有し、下部インシュレーター（２）は、円錐状の突起（３）を受ける凹部（４）を有するインシュレーターにおいて、円錐状の突起（３）の先端に、窪み（３ａ）を穿設し、該窪み（３ａ）にボール（Ｘ）を嵌着したものである。
【０００８】
又、上記特開２００９−１２４３３６号公報に係るインシュレータは、音響機器と設置面の間に介挿され、当該音響機器を支持するインシュレータであって、合成樹脂を素材とし、下面に凹部が形成され、上面が前記音響機器の支持対象面に接して支持する対象面支持体と、金属を素材として板状に形成され、前記対象面支持体の前記凹部の奥面に取り付けられる上部プレートと、合成樹脂を素材とし、上面に凹部が形成され、下面が設置面に接した状態で置かれる脚体と、金属を素材として板状に形成され、前記脚体の前記凹部の奥面に取り付けられる下部プレートと、球形に形成され、下側の少なくとも一部が前記脚体の前記凹部に挿入されて前記下部プレートの上面と点接触し、上側の少なくとも一部が前記対象面支持体の前記凹部に挿入され前記上部プレートの上面と点接触する音響ボールと、を備えるように構成したものである。
【先行技術文献】
【特許文献】
【０００９】
【特許文献１】特開平１０−３０４４８４号公報
【特許文献２】特開２００４−２２５９２号公報
【特許文献３】特開２００５−２４０６７号公報
【特許文献４】特開２００６−２７９１７８号公報
【特許文献５】特開２００９−１２４３３６号公報
【発明の開示】
【発明が解決しようとする課題】
【００１０】
しかしながら、上記従来のインシュレータの場合には、次のような問題点を有している。すなわち、上記従来のインシュレータや機器筐体の支脚装置の場合には、構造が複雑であって、設置作業が煩雑となるという問題点を有している。
【００１１】
また、上記従来のインシュレータや機器筐体の支脚装置の場合には、振動を遮断乃至減衰させる機能か、又は振動を逃がすメカニカルアースのいずれかの機能しか有しておらず、スピーカー等の音響機器の種類や構成、あるいはスピーカー等の音響機器の設置場所等によっては、振動を遮断乃至減衰させる機能が求められたり、振動を逃がすメカニカルアースの機能が求められたりするが、１つの部材でいずれの機能にも対応することができないという技術的課題を有していた。
【００１２】
そこで、本発明は、上記従来技術の問題点を解決するためになされたものであり、その目的とするところは、構造が簡単であって設置作業が容易であり、しかもスピーカーやプレイヤーなどの音響機器の振動を遮断乃至減衰させるインシュレータ本来の機能は勿論のこと、音響機器の振動を特定の部位に伝達するスパイク（メカニカルアース）としての機能をも兼ね備えた新規なインシュレータを提供することにある。
【課題を解決するための手段】
【００１３】
すなわち、請求項１に記載された発明は、スピーカー等の音響機器と当該音響機器を設置する設置部との間に配置され、前記音響機器からの振動を遮断乃至減衰させるか、又は前記音響機器からの振動を特定の部位に直接伝達させるためのインシュレータにおいて、
上部が円錐形状に形成されるインシュレータ本体と、前記インシュレータ本体に着脱自在に構成され、当該インシュレータ本体を介して前記音響機器からの振動を特定の部位に直接伝達する際に使用される振動伝達補助部材とを備え、
前記インシュレータ本体は、相対的に剛性が大きく且つ内部損失が小さい材料からなり、当該インシュレータ本体の中心部に配置されて先端が音響機器と接触するとともに、インシュレータ本体の底部との間に振動を遮断するための間隙が形成され、しかも前記振動伝達補助部材が着脱自在に装着される振動伝達部材と、
前記振動伝達部材よりも相対的に剛性が小さく且つ内部損失が大きい材料からなり、前記振動伝達部材の外周に一体的に配置されて当該振動伝達部材に伝達された振動を遮断乃至減衰させる振動遮断部材とを具備することを特徴とするインシュレータである。
【００１４】
また、請求項２に記載された発明は、前記インシュレータ本体の下面に設置され、当該インシュレータ本体の振動遮断部材と接触する円板状部材と、当該円板の下面に突設されたボルト部材とからなる台座プレート部材を備えたことを特徴とする請求項１に記載のインシュレータである。
【００１５】
さらに、請求項３に記載された発明は、前記インシュレータ本体の下面に設置され、振動を吸収する弾性材料からなる円筒形状の振動吸収部材と、
前記振動吸収部材の下方に設置され、前記振動伝達部材に装着される振動伝達補助部材と接触する台座部材と、
を備えたことを特徴とする請求項１に記載のインシュレータである。
【００１６】
又、請求項４に記載された発明は、前記インシュレータ本体と設置部との間に介在され、振動を吸収する弾性材料からなる円筒形状の振動吸収部材と、
先端が設置部の表面に接触するように前記振動伝達部材に装着される振動伝達補助部材と、
を備えたことを特徴とする請求項１に記載のインシュレータである。
【発明の効果】
【００１７】
この発明によれば、構造が簡単であって設置作業が容易であり、しかもスピーカーやプレイヤーなどの音響機器の振動を遮断乃至減衰させるインシュレータ本来の機能は勿論のこと、音響機器の振動を特定の部位に伝達するスパイク（メカニカルアース）としての機能をも兼ね備えた新規なインシュレータを提供することができる。
【図面の簡単な説明】
【００１８】
【図１】この発明の実施の形態１に係るインシュレータを示す外観斜視図である。
【図２】この発明の実施の形態１に係るインシュレータを適用し得る５．１チャンネルサラウンド方式の音響システムを示す構成図である。
【図３】この発明の実施の形態１に係るインシュレータの設置状態を示す構成図である。
【図４】この発明の実施の形態１に係るインシュレータ本体を示す縦断面図である。
【図５】この発明の実施の形態１に係るインシュレータ本体の振動伝達部材と振動遮断部材を示す外観斜視図である。
【図６】この発明の実施の形態１に係るインシュレータ本体を示す平面図及び底面図である。
【図７】この発明の実施の形態１に係るインシュレータ本体を示す正面図である。
【図８】振動伝達用ボルト部材を示す構成図である。
【図９】図７のIX−XI線の矢視断面図である。
【図１０】台座プレートを示す外観斜視図である。
【図１１】ゴムリングと台座を示す外観斜視図である。
【図１２】この発明の実施の形態１に係るインシュレータ本体の使用状態を示す断面図である。
【図１３】この発明の実施の形態１に係るインシュレータ本体の使用状態を示す構成図である。
【図１４】この発明の実施の形態１に係るインシュレータ本体の使用状態を示す断面図である。
【図１５】この発明の実施の形態１に係るインシュレータ本体の使用状態を示す断面図である。
【図１６】この発明の実施の形態１に係るインシュレータ本体の使用状態を示す構成図である。
【図１７】この発明の実施の形態１に係るインシュレータ本体の使用状態を示す断面図である。
【図１８】この発明の実施の形態１に係るインシュレータ本体の使用状態を示す断面図である。
【発明を実施するための形態】
【００１９】
以下に、この発明の実施の形態について図面を参照して説明する。
【００２０】
実施の形態１
図２はこの発明の実施の形態１に係るインシュレータを適用し得る５．１チャンネルサラウンド方式の音響システムを示す構成図である。
【００２１】
この５．１チャンネルサラウンド方式の音響システム１では、図２に示すように、図示しないプレイヤーやアンプ等のオーディオ機器によって音楽や映像等を再生して聴取又は視聴するため、リスナー（聴取者）の座る位置２を中心として、聴取者の正面に位置する第１のスピーカー３ａと、右前方３０°に位置する第２のスピーカー３ｂと、左前方３０°に位置する第３のスピーカー３ｃと、右後方１２０°に位置する第４のスピーカー３ｄと、左後方１２０°に位置する第５のスピーカー３ｅと、低音出力用サブウーハースピーカー３ｆ（通常は正面に配置）の合計６つのスピーカーが、円周方向に沿って略等しい距離に配置される。なお、低音出力用サブウーハースピーカー３ｆは、再現できる周波数が限られているため、０．１チャンネルに数えられる。
【００２２】
上記５．１チャンネルサラウンド方式の音響システム１は、従来のステレオ方式などに比べてはるかに立体的で臨場感のある音響環境を実現することができる。また、５．１チャンネルサラウンド方式の音響システム１は、上述したように、第１〜第５のスピーカー３ａ〜３ｅ及び低音出力用サブウーハースピーカー３ｆからなる合計６つのスピーカーを必要とし、これら各スピーカー３ａ〜３ｆの振動や図示しないプレイヤーやアンプ等のオーディオ機器の振動が設置部である床面等に伝達されるのを回避する必要がある。
【００２３】
ところで、上記５．１チャンネルサラウンド方式の音響システム１は勿論のこと、他の方式を採用した音響システムにおいても、第１〜第５のスピーカー３ａ〜３ｅや低音出力用サブウーハースピーカー３ｆなどのスピーカー、あるいはプレイヤーやアンプ等の音響機器の振動が、これらの音響機器が設置される床面や棚、あるいはスピーカースタンド等を介して他のスピーカーやプレイヤーなど他の機器に伝搬し、影響を与えるのを防止するために、スピーカーやプレイヤー等の音響機器の振動を遮断乃至減衰させる目的でインシュレータが使用されている。
【００２４】
上記インシュレータ本体４は、例えば、図３に示すように、スピーカー３と床面５との間や、スピーカーと図示しないテーブル、あるいはスピーカースタンド等の間に介在された状態で配置され、スピーカー３の振動が床面５やテーブル等に伝達されたり、あるいはスピーカースタンドを介して床面５等に伝達されるのを防止するために使用される。
【００２５】
図１はこの発明の実施の形態１に係るインシュレータをそれぞれ示す外観斜視図である。
【００２６】
図１において、４はインシュレータ本体を示すものであり、このインシュレータ本体４は、例えば、ステンレスとアルミニウム等のように、少なくとも２種類の金属材料を組み合わせることによって、その下部６が円柱形状に形成されているとともに、その上部７が円錐形状に形成されている。なお、この発明の実施の形態１に係るインシュレータは、インシュレータ本体４のみで使用することも可能となっている。インシュレータ本体４は、例えば、直径５０ｍｍ、高さが４０ｍｍ程度の大きさに設定されている。
【００２７】
上記インシュレータ本体４は、図１及び図４に示すように、その中心部に上下方向に沿って貫通した状態で設けられ、振動を伝達する部材として機能する振動伝達部材８と、当該振動伝達部材８の外周に一体的に設けられ、振動伝達部材８に伝達された振動を遮断乃至減衰させる内部損失が大きい材料からなる振動遮断部材９とから構成されている。
【００２８】
上記振動伝達部材８は、例えば、ＳＵＳ３０４等のステレンスや黄銅、青銅、真鍮、クロムモリブデン鋼など金属材料、あるいは木材、合成樹脂等の材料のように振動遮断部材９に対して相対的に剛性が高く、且つ相対的に内部損失が小さい材料によって、図５（ａ）に示すように、その大部分が円柱形状に形成されているとともに、振動遮断部材９から上方に突出する先端部１０は、図１に示すように、インシュレータ本体４の上部７の先端部を構成する円錐形状に形成されている。また、この振動伝達部材８の先端１１は、スピーカー等の音響機器の底面と略点接触と近い状態で接触するように尖った形状に形成されているが、スピーカー等の底面を損傷する虞れを回避する観点からすれば、曲率半径の小さなＲ形状又は図６及び図７に示すような微小な平面状に研磨するのが望ましい。さらに、上記振動伝達部材８は、図４に示すように、その全長がインシュレータ本体４の高さよりも若干短く設定されており、当該振動伝達部材８の下端面１２とインシュレータ４の下端面１３との間には、図４に示すように、例えば、２ｍｍ程度の微小な間隙１４が形成されている。この間隙１４は、インシュレータ本体４が設置される設置部に振動伝達部材８が直接接触し、当該振動伝達部材８に伝わった振動が直接設置部を伝達されるのを防止する空気層を形成するためのものである。
【００２９】
また、上記振動伝達部材８の内部中心には、図４に示すように、その下端面１２から略２／３程度の長さにわたって雌ネジ部１５が形成されている。この雌ネジ部１５は、例えば、ピッチ１．２５のＭ１０細目溝切りによって形成された雌ネジから構成されており、当該雌ネジ部１５には、図８に示すように、外周に雌ネジ部１５と同じピッチ１．２５のＭ１０細目溝切りによって雄ネジ部１６が形成された振動伝達補助部材としての振動伝達用ボルト部材１７がネジ結合によって着脱自在となっている。この振動伝達用ネジ部材１７は、例えば、振動伝達部材８と同じ材料であるＳＵＳ３０４等のステレンス、あるいは振動伝達部材８と特性が近い相対的に剛性が高く、且つ相対的に内部損失が小さい金属材料で形成されるが、必ずしも金属材料に限定される訳ではなく、金属以外の材料によって形成しても良い。上記振動伝達用ボルト部材１７の下端部（先端部）１８は、円錐形状に形成されており、当該振動伝達用ボルト部材１７を介して他の部材に振動を直接伝達することが可能となっている。
【００３０】
上記振動伝達部材８は、スピーカー３等の音響機器の荷重を直接受けるとともに、スピーカー３等の音響機器からの振動が直接伝達される部材であり、第１に高い剛性を有することが必要とされる。また、上記振動伝達部材８は、スピーカー３等の音響機器からの振動を振動遮断部材９に伝達したり、当該振動伝達部材８に装着される振動伝達補助部材を介して設置部の特定部位に直接振動を伝達する役割を果たす部材であり、相対的に内部損失が小さい金属材料で形成するのが望ましい。ただし、この振動伝達部材８は、相対的に内部損失が小さい金属材料で形成されるものであっても、インシュレータ本体４の底部との間に後述するように振動を遮断するための間隙が形成されているため、当該振動伝達部材８を介して設置部に振動が直接伝達されることはない。
【００３１】
一方、上記振動遮断部材９は、例えば、アルミニウムやジュラルミン等のアルミニウム合金（例えば、Ａ５０５６、Ａ７０７５等）、マグネシウム、マグネシウム合金、ニッケル、酸化鉄、高炭素片状黒鉛鋳鉄、片状黒鉛鋳鉄などの金属材料、あるいは木材、合成樹脂、ゴム等の材料のように振動伝達部材８に対して相対的に剛性が低く内部損失の大きい材料によって形成されており、振動伝達部材８に伝達された振動が他の部材に伝達されないように遮断乃至減衰させるためのものである。
【００３２】
また、振動遮断部材９は、図１及び図５（ｂ）に示すように、その下部１９がインシュレータ本体４の下部６そのものを構成する円柱形状に形成されているとともに、その上部２０は、インシュレータ本体４の先端部を除いた上部７を構成する円錐台形状に形成されている。さらに、上記振動遮断部材９の中心には、図５（ｂ）に示すように、振動伝達部材８を嵌合した状態で一体的に装着するための円筒形状の装着穴２１が開口されている。また、この振動遮断部材９の下端面１３は、図４に示すように、平坦に形成されているとともに、振動伝達部材８の下端部に位置する間隙１４の外周部分が、下方に向けて直径が大きくなるように傾斜したテーパー面２２となっている。なお、上記振動伝達部材８は、例えば、振動遮断部材９の中心に設けられた装着穴２１に打ち込み等の手段によって圧入されることによって、振動遮断部材９に一体的に装着され、その後、必要に応じて旋盤等を用いた切削加工などが施されて、予め定められた形状に形成される。
【００３３】
そのため、この振動遮断部材９は、上述したように、振動伝達部材８に伝達された振動が他の部材に伝達されないように遮断乃至減衰させるための部材であり、相対的に内部損失が大きい金属材料で形成するのが望ましいが、必ずしも金属材料に限定されるものではない。また、上記振動遮断部材９には、円錐台形状に形成された上部２０を介して振動伝達部材８から振動が徐々に伝達され、振動伝達部材８との接触面積が小さい円錐台形状の上部２０から徐々に伝達される振動を、相対的に大きい内部損失によって減衰させつつ円柱形状の下部１９に伝達させることができ、振動の遮断乃至減衰効果が非常に大きい構造となっている。
【００３４】
また、上記振動遮断部材９の下部の外周面には、図１、図７及び図９に示すように、互いに１２０°の角度をなす位置に半径方向に向けて雌ネジ部１５内まで貫通するようにネジ溝２３が形成されており、このネジ溝２３には、図９に示すように、図示しない固定用ボルト部材がネジ止めされ、振動伝達部材８の雌ネジ部１５にネジ止めされた振動伝達用ボルト部材１７を、所望の長さで固定することが可能となっている。なお、上記ネジ溝２３は、その全長にわたってネジ部を設けずに、当該ネジ溝２３の奥側にのみネジ部を設け、ネジ溝２３の手前側（外周側）は、ネジ溝２３よりも外径の大きな挿入孔としても良い。
【００３５】
さらに、上記振動遮断部材９の下端面には、図１（ｂ）及び図６に示すように、振動伝達部材８の雌ネジ部１５を中心として互いに１２０°の角度をなす位置にネジ溝２４が形成されており、このネジ溝２４には、図８（ｂ）に示すような設置用ボルト部材２５がネジ止め自在となっている。上記ネジ溝２４は、当該ネジ溝２４に設置用ボルト部材２５をネジ止めし、当該設置用ボルト部材２５を脚部として設置面に立設することにより、インシュレータ本体４を設置面５から離間した状態で配置可能とするものである。
【００３６】
さらに、上記振動遮断部材９は、図７に示すように、必要に応じて、インシュレータ本体４の下方に位置する下部１９の外周面にローレット加工２６が施されており、インシュレータ本体４を持ち運びする際や、インシュレータ本体４を音響機器の下方に設置した状態で回転させる際などに、振動遮断部材９の外周面が滑るのを防止している。
【００３７】
さらに、上記インシュレータ本体４は、図１０及び図１１（ａ）（ｂ）に示すように、必要に応じて、台座プレート部材としての台座プレート３０や振動吸収部材としての円環状のゴムリング４０、あるいは台座部材としての円盤状の台座５０等のオプション部材と組み合わせて使用される。
【００３８】
上記台座プレート３０としては、図１０に示すように、平面円形状の円板部材３１を備えており、当該円板部材３１の一方の面には、その中心にボルト部材３２が溶接等の手段によって固着されている。また、上記円板部材３１の外周には、互いに１２０°を成す位置に皿ビス３３を挿入するためのビス孔３４が開口されており、この円板部材３１には、その下面から挿通される皿ビス３３によってインシュレータ本体４下面のネジ溝２４に固定される。
【００３９】
また、上記ゴムリング４０は、図１１（ａ）に示すように、例えば、合成ゴムやソルボセイン（登録商標）等の弾性材料によって円環状に形成されている。また、上記ゴムリング４０は、例えば、インシュレータ本体４の外径と等しい外径を有し、予め定められた幅及び厚さを有する断面矩形の円環状に形成されている。ゴムリング４０は、インシュレータ本体４の振動遮断部材９からの振動を吸収することによって台座５０に伝わるのを遮断乃至減衰させる機能を果たす部材である。
【００４０】
さらに、上記円盤状の台座部材５０は、図１１（ｂ）に示すように、例えば、ステンレス等の金属材料によって、所定の厚さを有する平面円形の円板状に形成されている。さらに、この台座部材５０の表面には、図１２に示すように、その中心に振動伝達用ボルト部材１７の先端部１８が当接する断面円錐形状の凹所５１が形成されており、当該凹所５１の角度は、振動伝達用ボルト部材１７の先端部１８の角度よりも大きな角度に設定されている。また、上記台座５０の外周には、互いに１２０°を成す位置に皿ビス３３を挿入するためのビス孔５２が開口されており、この台座５０には、その上面から挿入される皿ビス３３によって所望の設置部に固定される。
【００４１】
以上の構成において、この実施の形態に係るインシュレータは、次のようにして、構造が簡単であって設置作業が容易であり、しかもスピーカーやプレイヤーなどの音響機器の振動を遮断乃至減衰させるインシュレータ本来の機能は勿論のこと、音響機器の振動を特定の部位に伝達するスパイク（メカニカルアース）としての機能をも兼ね備えるようになっている。
【００４２】
すなわち、この実施の形態に係るインシュレータ本体４は、図１３に示すように、例えば、スピーカー３を設置する床面５のスピーカー３の底面３ａに相当する位置に、その尖った先端１１を上向きにして所定の間隔を隔てて３個乃至４個直置き状態で配置され、これらのインシュレータ本体４の先端１１にスピーカー３の底面３’を載置した状態で設置される。
【００４３】
上記インシュレータ本体４には、図１４に示すように、スピーカー３の底面３’に接触する先端１１から当該スピーカー３から振動６０が伝達される。このインシュレータ本体４に伝達された振動６０は、その先端１１から振動伝達部材８へと伝わり、当該振動伝達部材８中をその長手方向（縦方向）に沿って伝播するとともに、その下端面１２によって反射される。また、上記振動伝達部材８へと伝わった振動６０は、当該振動伝達部材８と当接する振動減衰部材９へと、当該振動減衰部材９の円錐台形状に形成された上部２０を介して徐々に伝達されるとともに、振動伝達部材８と比較して相対的に剛性が低くかつ内部損失が大きい振動減衰部材９中を伝播する間に徐々に吸収されて遮断乃至減衰され、床面５に振動６０が伝達されるのを防止することができる。
【００４４】
また、この実施の形態に係るインシュレータ本体４は、図１５に示すように、台座プレート３０と組み合わせて使用される。この台座プレート３０は、スピーカー３等の音響機器を設置する設置部５に、ボルト３２を植設するとともに、その円板３１を皿ビスによってインシュレータ本体４にビス止めすることによって設置される。ただし、上記インシュレータ本体４と台座プレート３０とは、上下を逆にして、台座プレート３０のボルト３２をスピーカー３等の音響機器に取り付け、インシュレータ本体４の先端１１を設置部５の表面に当接させるように配置しても良い。
【００４５】
この実施の形態では、図１４に示すインシュレータ本体４と同様に、スピーカー等の音響機器から伝わる振動を遮断乃至減衰させることができるとともに、図１５に示すように、振動伝達部材８の下端部に設けられた間隙１４によって、当該振動伝達部材８から台座プレート３０の円板３１に振動が伝わるのを遮断することができる。
【００４６】
さらに、この実施の形態に係るインシュレータ本体４は、図１６に示すように、スピーカーやプレイヤーなどの音響機器の振動を特定の部位に伝達するスパイク（メカニカルアース）としての機能をも果たすことが可能となっている。
【００４７】
この場合には、図１６に示すように、インシュレータ本体１の振動伝達部材８に、当該振動伝達部材８の中心に設けられた雌ネジ部１５を介して振動伝達用ボルト部材１７をネジ止めするとともに、当該振動伝達用ボルト部材１７の先端１８をコンクリート等が敷設された設置部５の表面に当接させた状態で配置する。
【００４８】
また、上記インシュレータ本体４は、図１６に示すように、振動遮断部材９の下端面に配置されたゴムリング４０を介してコンクリート等が敷設された設置部５に配置する。
【００４９】
こうすることによって、スピーカーからインシュレータ本体４に伝達された振動６０は、主に、振動伝達部材８へと伝わり、当該振動伝達部材８にネジ止めされた振動伝達用ボルト部材１７を介してコンクリート等が敷設された設置部５に直接伝達される。そのため、上記スピーカー３からインシュレータ本体４に伝達された振動６０は、インシュレータ本体４を介して周囲に拡散されることなく、インシュレータ本体４を介して設置部５に直接伝達されて逃がすことができ、所謂スパイク作用を果たしてメカニカルアースとして機能し、スピーカー３からインシュレータ本体４に伝達された振動が不本位に周囲の機器へと伝達され、影響を及ぼすことを防止することができる。
【００５０】
さらに、上記インシュレータ本体４は、図１７に示すように、コンクリート等が敷設された設置部５に棒状のボルト部材７０を植設し、当該インシュレータ本体４の振動伝達部材８に振動伝達用ボルト部材１７の代わりに前記棒状のボルト部材７０をネジ止めすることにより、コンクリート等が敷設された設置部５に配置される。
【００５１】
なお、上記インシュレータ本体４は、図１８に示すように、その先端１１を設置部５に当接させるとともに、ボルト部材７０をスピーカー３等の音響機器側に装着するように構成しても良い。
【符号の説明】
【００５２】
１：５．１チャンネルサラウンド方式の音響システム１、３ａ〜３ｅ：スピーカー、４：インシュレータ本体、５：設置部、８：振動伝達部材、９：振動遮断部材。
【図１】
2011103584.tif 000003
【図２】
2011103584.tif 000004
【図３】
2011103584.tif 000005
【図４】
2011103584.tif 000006
【図５】
2011103584.tif 000007
【図６】
2011103584.tif 000008
【図７】
2011103584.tif 000009
【図８】
2011103584.tif 000010
【図９】
2011103584.tif 000011
【図１０】
2011103584.tif 000012
【図１１】
2011103584.tif 000013
【図１２】
2011103584.tif 000014
【図１３】
2011103584.tif 000015
【図１４】
2011103584.tif 000016
【図１５】
2011103584.tif 000017
【図１６】
2011103584.tif 000018
【図１７】
2011103584.tif 000019
【図１８】
2011103584.tif 000020